(57)【要約】【課題】ビジネスフォームで広く利用される複写帳票を製造する技術をベースとして作製可能な台紙付き緩衝材及びその使用方法を提供する。【解決手段】長方形の台紙の片側に緩衝材が貼付された送付物保護用の台紙付き緩衝材であって、台紙には短辺に平行に、第一の内折り予定部，第二の内折り予定部，外折り予定部が順次設けられ、台紙の一短辺と第一の内折り予定部に挟まれた第一の台紙領域，第二の内折り予定部と外折り予定部に挟まれた第三の台紙領域，外折り予定部と台紙の残る一短辺とに挟まれた第四の台紙領域は略同一形状を成し、第一の内折り予定部と第二の内折り予定部に挟まれた第二の台紙領域と、前記第三の台紙領域では台紙が表出し、第一の台紙領域と第四の台紙領域には、波板状の緩衝材が同じ向きに貼付された台紙付き緩衝材を提供する。【選択図】  図１
2008114918.tif 000002
【特許請求の範囲】
【請求項１】
長方形の台紙の片側に緩衝材が貼付された送付物保護用の台紙付き緩衝材であって、
台紙には短辺に平行に、第一の内折り予定部，第二の内折り予定部，外折り予定部が順次設けられ、
台紙の一短辺と第一の内折り予定部に挟まれた第一の台紙領域，第二の内折り予定部と外折り予定部に挟まれた第三の台紙領域，外折り予定部と台紙の残る一短辺とに挟まれた第四の台紙領域は略同一形状を成し、
第一の内折り予定部と第二の内折り予定部に挟まれた第二の台紙領域と、前記第三の台紙領域では台紙が表出し、
第一の台紙領域と第四の台紙領域には、波板状の緩衝材が同じ向きに貼付されたことを特徴とする台紙付き緩衝材。
【請求項２】
請求項１に記載の台紙付き緩衝材において、
外折り予定部には切込みが形成されたことを特徴とする台紙付き緩衝材。
【請求項３】
請求項１，２何れかに記載の台紙付き緩衝材において、
第三の台紙領域の緩衝材貼付側には粘着材による固定部が形成されたことを特徴とする台紙付き緩衝材。
【請求項４】
請求項１〜３何れかに記載の台紙付き緩衝材において、
台紙または緩衝材、または台紙，緩衝材の両方の表出面には印刷が施されたことを特徴とする台紙付き緩衝材。
【請求項５】
請求項１〜４何れかに記載の台紙付き緩衝材において、
台紙及び緩衝材の基材には、パルプを主原料とする材料、または、自然環境内で分解性を有する合成樹脂フィルムの何れかが使用されたことを特徴とする台紙付き緩衝材。
【請求項６】
請求項１〜５何れかに記載の台紙付き緩衝材の使用方法であって、
第四の台紙領域に貼付された台紙付き緩衝材を、外折り部で折り畳むか外折り部で切り離し、第一の台紙領域に貼付された台紙付き緩衝材の波板状の凹凸と、第四の台紙領域に貼付された台紙付き緩衝材の波板状の凹凸が直行する形態で使用されることを特徴とする台紙付き緩衝材の使用方法。
【発明の詳細な説明】
【技術分野】
【０００１】
本発明は、送付物を衝撃から護るための台紙付き緩衝材及びその使用方法に関する。
【背景技術】
【０００２】
通販会社等では、商品の配達のために宅配便を利用することが多い。
その際、商品のほかに、段ボールや封筒などの収納具、納品明細書，配送伝票といったものが準備される。商品が化粧品や食べ物、文房具といった小物類の場合の収納具には、ほぼ例外なく段ボールか封筒が使用される。
通販会社等では、納品明細書を見ながら、顧客からリクエストのあった商品を所定の収納具（例えば、段ボール）に入れ、箱詰めした内容をチェックしてから納品明細書も段ボールに入れ、段ボールを封緘したら、配送伝票を所定位置に貼り込んで発送するというのが代表的な配送までの流れである。
しかしながら、商品毎に段ボールが用意されるわけではないために、多くの場合、商品と段ボールの内側に隙間が生じる。
この隙間のために輸送途中で商品が箱内で踊ってしまい、その結果、最悪の場合、届いた荷物が破損することになってしまう。この破損を防ぐために、詰め物を入れたり、緩衝材と呼ばれる資材を隙間に入れている。
したがって、正確には、前述の「代表的な配送までの流れ」に、「商品を箱に入れた後で緩衝材を入れる」という工程が加わる。
家電製品のように、箱の中に納める商品の形やサイズが一定であれば、緩衝材でなく、パルプモールド等で製品を中空に浮かしたりすることも可能であるが、通販の場合は、前述のように、同じものを１個だけ買う人や複数まとめて買う人がいるために、全パターンに合わせた箱を用意することは現実的ではない。
その結果、緩衝材は不可欠な資材となる。
【０００３】
そこで、合成樹脂を原料とする緩衝材が提供されている（例えば、特許文献１参照）。
しかしながら、特許文献１に記載されている「筒状の緩衝包装部材」は、顧客側の環境意識の高まりもあって、従来から広く利用されている「エアキャップ」等の合成樹脂を原料とする緩衝材と同様、近年使い難くなってきている。
一方、前述の詰め物として、新聞紙を丸めて入れたり、シュレッダーの塵を箱の中に入れる方法は、環境面ではともかく、商品を受け取る顧客からは、その体裁から、必ずしも好評ではない。また、パルプを主原料とする紙では「エアキャップ」のようなものは作り難い。
【０００４】
【特許文献１】特開２００４−９０９３４号公報
【発明の開示】
【発明が解決しようとする課題】
【０００５】
そこで本発明では、ビジネスフォームで広く利用される複写帳票を製造する技術をベースとして作製可能な台紙付き緩衝材及びその使用方法を提供することを目的とするものである。
【課題を解決するための手段】
【０００６】
前記課題の目的を達成するために、本発明の台紙付き緩衝材の第一の態様は、長方形の台紙の片側に緩衝材が貼付された送付物保護用の台紙付き緩衝材であって、台紙には短辺に平行に、第一の内折り予定部，第二の内折り予定部，外折り予定部が順次設けられ、台紙の一短辺と第一の内折り予定部に挟まれた第一の台紙領域，第二の内折り予定部と外折り予定部に挟まれた第三の台紙領域，外折り予定部と台紙の残る一短辺とに挟まれた第四の台紙領域は略同一形状を成し、第一の内折り予定部と第二の内折り予定部に挟まれた第二の台紙領域と、前記第三の台紙領域では台紙が表出し、第一の台紙領域と第四の台紙領域には、波板状の緩衝材が同じ向きに貼付されたことを特徴とするものである。
【０００７】
また、第二の態様は、第一の態様において、外折り予定部には切込みが形成されたことを特徴とするものである。
【０００８】
また、第三の態様は、第一，第二何れかの態様において、第三の台紙領域の緩衝材貼付側には粘着材による固定部が形成されたことを特徴とするものである。
【０００９】
また、第四の態様は、第一から第三何れかの態様において、台紙または緩衝材、または台紙，緩衝材の両方の表出面には印刷が施されたことを特徴とするものである。
【００１０】
また、第五の態様は、第一から第四何れかの態様において、台紙及び緩衝材の基材には、パルプを主原料とする材料、または、自然環境内で分解性を有する合成樹脂フィルムの何れかが使用されたことを特徴とするものである。
【００１１】
また、第六の態様は、第一から第五何れかの態様の台紙付き緩衝材の使用方法であって、第四の台紙領域に貼付された台紙付き緩衝材を、外折り部で折り畳むか外折り部で切り離し、第一の台紙領域に貼付された台紙付き緩衝材の波板状の凹凸と、第四の台紙領域に貼付された台紙付き緩衝材の波板状の凹凸が直行する形態で使用されることを特徴とするものである。
【発明の効果】
【００１２】
１）本発明の台紙付き緩衝材の第一の態様のように、長方形の台紙の片側に緩衝材が貼付された送付物保護用の台紙付き緩衝材であって、台紙には短辺に平行に、第一の内折り予定部，第二の内折り予定部，外折り予定部が順次設けられ、台紙の一短辺と第一の内折り予定部に挟まれた第一の台紙領域，第二の内折り予定部と外折り予定部に挟まれた第三の台紙領域，外折り予定部と台紙の残る一短辺とに挟まれた第四の台紙領域は略同一形状を成し、第一の内折り予定部と第二の内折り予定部に挟まれた第二の台紙領域と、前記第三の台紙領域では台紙が表出し、第一の台紙領域と第四の台紙領域には、波板状の緩衝材が同じ向きに貼付されたことによって、台紙付き緩衝材を製造の際、ビジネスフォームで利用される製造設備，技術が利用可能となり、曲がり難い波板状の緩衝材の間に送付物を固定して封筒などに入れて送付できるために、簡便で、安価な緩衝材として供給することができる。
２）また、第二の態様のように、第一の態様において、外折り予定部には切込みが形成されたことによって、切込みの部分で緩衝材の一方を切り離し、もう一方の緩衝材に対して波型が直行する状態で送付物を挟むことができ、送付物をより強固に保護しながら送付することができる。
３）また、第三の態様のように、第一，第二何れかの態様において、第三の台紙領域の緩衝材貼付側には粘着材による固定部が形成されたことによって、送付物が挟み易くなり、作業の能率が向上する。
４）また、第四の態様のように、第一から第三何れかの態様において、台紙または緩衝材、または台紙，緩衝材の両方の表出面には印刷が施されたことによって、広告や注意書きを印刷することができ、台紙付き緩衝材の表出するスペースを有効に利用することができる。
５）また、第五の態様のように、第一から第四何れかの態様において、台紙及び緩衝材の基材には、パルプを主原料とする材料、または、自然環境内で分解性を有する合成樹脂フィルムの何れかが使用されたことによって、環境にやさしい台紙付き緩衝材とすることができる。
６）また、第六の態様のように、第一から第五何れかの態様の台紙付き緩衝材の使用方法であって、第四の台紙領域に貼付された台紙付き緩衝材を、外折り部で折り畳むか外折り部で切り離し、第一の台紙領域に貼付された台紙付き緩衝材の波板状の凹凸と、第四の台紙領域に貼付された台紙付き緩衝材の波板状の凹凸が直行する形態で使用することによって、送付物をより強固に保護しながら送付することができる。
【発明を実施するための最良の形態】
【００１３】
以下、図面を参照して本発明の台紙付き緩衝材について詳細に説明する。
図１は、本発明の台紙付き緩衝材の一例について説明するための図，図２は、本発明の台紙付き緩衝材の、他の一例について説明するための図，図３は、図１で説明した台紙付き緩衝材の使用方法の一例について説明するための図，図４は、図２で説明した台紙付き緩衝材の使用方法の一例について説明するための図，である。
【００１４】
図１を参照して、本発明の台紙付き緩衝材の一例について説明する。
本発明の台紙付き緩衝材１は、長方形の台紙１３の片側に緩衝材が貼付された送付物保護用の台紙付き緩衝材である。
台紙１３には短辺に平行に、第一の内折り予定部３１，第二の内折り予定部３２，外折り予定部３４が順次設けられている。
また、台紙の一短辺（台紙の左側の短辺）と第一の内折り予定部３１に挟まれた第一の台紙領域１３１，第二の内折り予定部３２と外折り予定部３４に挟まれた第三の台紙領域１３３，外折り予定部３４と台紙の残る一短辺（台紙の右側の短辺）とに挟まれた第四の台紙領域１３４は略同一形状を成している。
第一の内折り予定部３１と第二の内折り予定部３２に挟まれた第二の台紙領域１３２と、前記第三の台紙領域１３３では台紙が表出した状態になっている。
また、第一の台紙領域１３１には波板状の緩衝材２１が，第四の台紙領域１３４には波板状の緩衝材２２が、凹凸の向きが同じ向きになるように接着剤などによって貼付されている。
また、第三の台紙領域１３３には、緩衝材を折り畳みやすいように対角線状に設けられた第三の内折り予定部３３が設けられている。
前記第三の内折り予定部３３は、台紙の紙質によって省略される場合もある。
【００１５】
図示しないが、台紙１３または緩衝材２１，２２または台紙１３，緩衝材２１，２２の両方の表出面には、送付側の広告や送付物の取り扱い等に関する文言を印刷することができる。
また、第三の台紙領域には、粘着剤による固定部４が形成されている。
固定部が、例えば、強粘着構造になっている場合は、固定部が剥離紙で被覆されている場合もある。
【００１６】
図２を参照して、本発明の台紙付き緩衝材の、他の一例について説明する。
台紙１３０には短辺に平行に、第一の内折り予定部３１０，第二の内折り予定部３２０，外折り予定部３４０が順次設けられている。
図２に示す台紙付き緩衝材１０の例では、外折り予定部３４０の場所に、ミシン目状に切込みが形成されている。
また、台紙の一短辺（台紙の左側の短辺）と第一の内折り予定部３１０に挟まれた第一の台紙領域１３１０，第二の内折り予定部３２０と外折り予定部３４０に挟まれた第三の台紙領域１３３０，外折り予定部３４０と台紙の残る一短辺（台紙の右側の短辺）とに挟まれた第四の台紙領域１３４０は略同一形状を成している。
第一の内折り予定部３１０と第二の内折り予定部３２０に挟まれた第二の台紙領域１３２０と、前記第三の台紙領域１３３０では台紙が表出した状態になっている。
また、第一の台紙領域１３１０には波板状の緩衝材２１０が，第四の台紙領域１３４０には波板状の緩衝材２２０が、波板状の凹凸の向きが同じ向きになるように貼付されている。
【００１７】
また、第三の台紙領域には、粘着剤による固定部４０が形成されている。粘着剤による固定部には粘着剤の種類によって粘着剤が剥離紙で被覆されている場合もある。
【００１８】
図３を参照して、図１で説明した台紙付き緩衝材の使用方法の一例について説明する。
ａ図は、図１で説明した台紙付き緩衝材を示している。
台紙付き緩衝材１は、台紙の左右に緩衝材が貼付され、緩衝材が貼付されていない第二の台紙領域（図示せず）と第三の台紙領域１３３は、台紙面が表出し、第三の台紙領域１３３には固定部４が設けられている。
台紙の左右に貼付された緩衝材のそれぞれ内側の境界付近には、内折り予定部が設けられ、折りやすいように筋目が入れられたり、ミシン目状の切込みが施されている。
先ず、ａ図の緩衝材２２を台紙ごと外折り予定部３４で台紙側に折り曲げ、ｂ図に示すように台紙同士が接する状態まで折り畳む。
次にｂ図に示すように、第三の台紙領域１３３の第二の内折り予定部３３に沿って台紙を内側に折り畳み、ｃ図に示す状態にする。
固定部４が、強粘着構造になっている場合は、粘着面を被覆している剥離紙を取り除いて固定する。
台紙付き緩衝材１は、左側に縦方向に波板状の凹凸が形成された緩衝材が、右側に横方向に波板状の凹凸が形成された緩衝材が貼付された台紙付き緩衝材が出来上がる。緩衝材２２の裏側の第三の台紙領域１３３の台紙は、固定部４で固定されて安定した状態になっている。
ｃ図の状態で、緩衝材２１の上に送付物を置き、第二の台紙領域１３２の両脇の、第一の内折り予定部３１と第二の打ち折り予定部３２を内側に折り曲げ、ｄ図の状態とする。
ｄ図で判るように、送付物５は、緩衝材２１，２２の波板の凹凸が直角に交わる状態で固定され、封筒などに収納される。
【００１９】
図４を参照して、図２で説明した台紙付き緩衝材の使用方法の一例について説明する。
ｅ図は、図２で説明した台紙付き緩衝材を示している。
台紙付き緩衝材１０は、台紙の左右に緩衝材が貼付され、緩衝材が貼付されていない第二の台紙領域（図示せず）と第三の台紙領域１３３０は、台紙面が表出し、第三の台紙領域１３３０には固定部４０が設けられている。
台紙の左右に貼付された緩衝材のそれぞれ内側の境界付近には、内折り予定部が設けられ、折りやすいように筋目が入れられたり、ミシン目状の切込みが施される。
先ず、ｅ図の緩衝材２２０を台紙が貼付された状態のまま、外折り予定部３４０で第三の台紙領域１３３０から切り離す。
ｆ図は、緩衝材２２０が台紙ごと第三の台紙領域１３３０から切り離された状態を示す。
切り離された緩衝材２２０を、９０度回転させて第三の台紙領域１３３０に重ね合わせ、固定部４０で固定する。
固定部が、強粘着構造になっている場合は、粘着面を被覆している剥離紙を取り除いて固定する。
ｇ図に示すように、左側に縦方向に波板状の凹凸が形成された緩衝材が、右側に横方向に波板状の凹凸が形成された緩衝材が貼付された台紙付き緩衝材が出来上がる。
ｇ図の状態で、緩衝材２１０の上に送付物を置き、第二の台紙領域１３２０の両脇の、第一の内折り予定部３１０と第二の打ち折り予定部３２０を内側に折り曲げ、ｈ図の状態とする。
ｈ図で判るように、送付物５は、緩衝材２１０，２２０の波板の凹凸が直角に交わる状態で固定され、封筒などに収納される。
【００２０】
（材料）
本発明の台紙付き緩衝材に使用される材料の一例について説明する。
先ず、台紙付き緩衝材の台紙、および、緩衝材の基材には、パルプを主原料とする材料（以下、紙の例で説明する）が使用される。
パルプには，クラフトパルプ，サルファイトパルプ等の化学パルプ，グラウンドパルプ，リファイナーグラウンドウッドパルプ等の機械パルプ，ケミグラウンドウッドパルプ，セミケミカルパルプ等の半化学パルプ，古紙パルプ，合成パルプ等があり、これらを単独または数種類混合して使用される。
これらパルプを主原料とした塗工紙として、通常市販されている、例えば、アート紙，コート紙，軽量コート紙等があり、非塗工紙として、例えば、上質紙，中質紙，下級紙や未晒クラフト紙，晒クラ フト紙等がある。
本発明の台紙付き緩衝材の台紙、および、緩衝材用の紙として、これらの紙の中から適宜選択して使用する。
本発明の台紙付き緩衝材の台紙に使用される紙は、比較的厚い紙を使用することが好ましい。
例えば、台紙に使用する紙として、フォーム印刷機で使用できる１０５ｇ／ｍ2程度の紙を使用する。
その結果、送付物の重さに対して台紙付き緩衝材が折れ曲がることなく楽に封筒に差し込むことができ好適に使用できる。
【００２１】
また、自然環境内で分解性を有する合成樹脂とは、加水分解、光分解、微生物分解等により、自然環境下で分解する樹脂のことである。
このような樹脂の例を挙げると、脂肪族二塩基酸と二価アルコールの縮合重合により合成される各種の脂肪族ポリエステルなどがある。例えば、コハク酸、アジピン酸とエチレングリコール、１，４ブタンジオールの縮合重合により得られるポリエチレンサクシネート、ポリエチレンアジペート、ポリテトラメチレンアジペート等の脂肪族ポリエステルなどである。また、３官能又は４官能の多価アルコール、オキシカルボン酸及び多価カルボン酸、若しくはその無水物から合成した脂肪族ポリエステルなども使用することができる。さらに、ポリ乳酸、ポリグリコール酸等の脂肪族ポリエステルなどを使用することもできる。
【００２２】
台紙に緩衝材を貼付するために使用される接着剤としては、澱粉系，天然ゴム系，酢酸ビニル系，ＥＶＡ系，ポリウレタン系，ポリビニルアルコール系，アクリル系、その他から選択され、製造装置に合せて使用される。
【００２３】
また、固定部に使用する粘着剤は、主として天然ゴムを主成分とする粘着剤を使用し、再剥離再貼付粘着剤としては、『微球タイプ再剥離型粘着剤』や、粘着剤に硬化剤を添加したタイプ、例えば、２ＥＨＡ（２エチルヘキシルアクリレート）等のガラス転移温度が低いアクリル樹脂をエマルジョン化したものに、適宜架橋剤を加えて硬化性を高めたもの等を使用する。
【００２４】
台紙や緩衝材に印刷が施される場合は、印刷のためのインキとして、市販のインキを使用することができる。
オフセット印刷方式で印刷される場合、通常使用される紫外線硬化型インキや、一般タイプと呼ばれる酸化重合型インキを好適に使用することができる。
フレキソ方式で印刷される場合、水系インキや有機溶剤系インキなどに加え、紫外線硬化タイプのインキなども市販されているため、用途等に応じて選択することが可能である。
また、一度使用した用紙が古紙として再利用される場合は、大豆油インキと呼ばれる脱墨性に優れるインキが好適である。大豆油インキは、酸化重合型のインキで、従来から使用されてきた亜麻仁油インキに代わって使用され始めたもので、両者とも環境対応度に大差はないが、脱墨性の点では大豆油インキが優れている。いずれの印刷方式においても、目的や用途、使用する設備に合致した上で、できる限り環境に配慮したインキを使用することが望ましい。
紫外線硬化型は、原則として溶剤分を含まないのでＶＯＣの面では非常に優れているが、反面、ＵＶランプ（通常は、８，０００Ｗ程度のものが使用される）という非常に大きな電力でインキを硬化させるため、省エネルギーの面では酸化重合型には及ばない。また、有機溶剤型インキであっても、乾燥時に要するエネルギーが少なくて済む点では優れているため、乾燥時に蒸発する溶剤を完璧に回収できる製造装置であれば、環境に配慮しているということができる。
【００２５】
以上、本発明の台紙付き緩衝材に使用される材料の一例について説明したが、前述の記載材料に拘るものではなく、適宜選択し、また、選択したものを組み合わせて使用することができる。
【産業上の利用可能性】
【００２６】
通信販売などの業種における送付物送付用緩衝材に利用できる。
【図面の簡単な説明】
【００２７】
【図１】本発明の台紙付き緩衝材の一例について説明するための図である。
【図２】本発明の台紙付き緩衝材の、他の一例について説明するための図である。
【図３】図１で説明した台紙付き緩衝材の使用方法の一例について説明するための図である。
【図４】図２で説明した台紙付き緩衝材の使用方法の一例について説明するための図である。
【符号の説明】
【００２８】
１，１０  台紙付き緩衝材
４，４０  固定部
５      送付物
１３    台紙
２１，２２，２１０，２２０  緩衝材
３１，３１０  第一の内折り予定部
３２，３２０  第二の内折り予定部
３３，３３０  第三の内折り予定部
３４，３４０  外折り予定部
１３１，１３１０  第一の台紙領域
１３２，１３２０  第二の台紙領域
１３３，１３３０  第三の台紙領域
１３４，１３４０  第四の台紙領域
【図１】
2008114918.tif 000003
【図２】
2008114918.tif 000004
【図３】
2008114918.tif 000005
【図４】
2008114918.tif 000006